(57)【要約】      （修正有）【課題】恒温槽内部温度が設定基準温度より低くなった際に、熱効率を向上させる電子機器その他収納物を格納する恒温装置を提供する。【解決手段】恒温槽１に内部ファン４を備え、前記恒温槽の天板に開口９を形成し、この開口に熱抵抗を可変でき、内気循環流が流れる部分に外気が触れるように放熱器２を設けた恒温装置において、前記放熱器に対して外部から気体を送る外部ファン３と、恒温槽内の温度を検出する温度検出部７と、この温度検出部で検出した温度に応じて前記外部ファンの稼動を制御する制御部８と、前記開口の外面を覆い、一部を前記恒温槽の天板に固定した断熱板１０とを設け、前記外部ファンが稼動しない間は、前記断熱板が前記恒温槽の天板に密着して前記恒温槽を密閉し、前記外部ファンが稼動している間は、前記断熱板の一部が開いて恒温槽内の熱を外部に放出するように構成してあることを特徴とする恒温装置。【選択図】図２
2006245077.tif 000002
【特許請求の範囲】
【請求項１】
電子機器その他収納物を格納する恒温槽に気体を循環させる内部ファンを備え、前記恒温槽の外壁若しくは天板に開口を形成し、この開口に前記恒温槽内の内気循環流が流れる部分に外気が触れるように放熱器を設けてある恒温装置において、前記放熱器に対して外気を送る外部ファンを設けてあるとともに、前記恒温槽内の温度を検出する温度検出部と、この温度検出部で検出した温度に応じて前記外部ファンの稼動を制御する制御部とを設けてあり、前記開口の外面を覆うようにしてあるとともに一部を前記恒温槽の外壁若しくは天板に固定した断熱板を設け、前記外部ファンが稼動しない間は、前記断熱板が前記恒温槽の外壁若しくは天板に密着し、前記恒温槽を密閉し、前記外部ファンが稼動している間は、前記外気により前記断熱板の一部が開いて、恒温槽内の熱を外部に放出するように構成してあることを特徴とする恒温装置。
【請求項２】
電子機器その他収納物を格納する恒温槽に気体を循環させる内部ファンを備え、前記恒温槽の外壁若しくは天板に開口を形成し、この開口に前記恒温槽内の内気循環流が流れる部分に外気が触れるように放熱器を設けてある恒温装置において、前記恒温槽内の温度を検出する温度検出部と、この温度検出部で検出した温度に応じて前記恒温装置を制御する制御部とを設けてあり、前記開口の外面を覆うようにしてあるとともに一部を前記恒温槽の外壁若しくは天板に固定した断熱弁を設けてあり、前記恒温槽内の温度が規定温度内に有する場合は、前記断熱弁が閉じて、前記恒温槽の外壁若しくは天板に密着して前記恒温槽を密閉し、前記恒温槽内の温度が規定温度を超えた場合は、前記制御部の指示により前記断熱弁が開いて、前記恒温槽内の熱を外部に放出するように構成してあることを特徴とする恒温装置。
【請求項３】
前記放熱器に対して外気を送る外部ファンを設けてあり、前記断熱弁が開くと前記外部ファンが稼動して、前記放熱器が前記外気に触れることにより恒温槽内の熱を外部に放出するように構成してあることを特徴とする請求項２記載の恒温装置。
【請求項４】
前記放熱器を形状記憶合金で構成してあることを特徴とする請求項１乃至３のいずれかに記載の恒温装置。
【発明の詳細な説明】
【技術分野】
【０００１】
本発明は、電子機器その他収納物を格納し、電子装置の自己発熱による内部温度上昇を抑制して電子装置を安定に動作させる恒温装置に関するものである。
【背景技術】
【０００２】
従来の電子機器その他収納物を格納する恒温装置は、図７の構成説明図に示すように、電子機器その他収納物を格納する恒温槽１に気体を循環させる内部ファン４を備えてあり、前記恒温槽１の外壁若しくは天板に開口を形成して、この開口に熱抵抗を可変でき、前記恒温槽１内の内気循環流が流れる部分に外気に触れるように放熱器２を設けてある（特許文献１参照）。
【特許文献１】特開２００３−２８３１７５公報
【発明の開示】
【発明が解決しようとする課題】
【０００３】
しかし、この放熱器２は外気に触れるように設けてあるため、恒温槽１の内部温度が設定温度より高くなった際に、外部ファン３が稼動して、恒温槽１内の内気循環流を外部に放出することにより、内部温度を設定基準温度まで下げることは容易であるが、恒温槽１の内部温度が設定基準温度より低い場合には、外気に触れるように放熱器２を設けたことにより、放熱器２が稼動しない状態であっても恒温槽１の内気は放熱するため、熱効率がよくないという課題が生じた。
【０００４】
本発明は、上記問題に鑑みてなされたものであり、特に恒温槽内部温度が設定基準温度より低くなった際に、熱効率を向上させる電子機器その他収納物を格納する恒温装置を提供する。
【課題を解決するための手段】
【０００５】
上記課題を解決するために、本発明に係る恒温装置は、電子機器その他収納物を格納する恒温槽に気体を循環させる内部ファンを備え、前記恒温槽の外壁若しくは天板に開口を形成し、この開口に前記恒温槽内の内気循環流が流れる部分に外気が触れるように放熱器を設けてある恒温装置において、前記放熱器に対して外気を送る外部ファンを設けてあるとともに、前記恒温槽内の温度を検出する温度検出部と、この温度検出部で検出した温度に応じて前記外部ファンの稼動を制御する制御部とを設けてあり、前記開口の外面を覆うようにしてあるとともに一部を前記恒温槽の外壁若しくは天板に固定した断熱板を設け、前記外部ファンが稼動しない間は、前記断熱板が前記恒温槽の外壁若しくは天板に密着し、前記恒温槽を密閉し、前記外部ファンが稼動している間は、前記外気により前記断熱板の一部が開いて、恒温槽内の熱を外部に放出するように構成してあることを特徴とする。
【０００６】
また、本発明に係る恒温装置は、電子機器その他収納物を格納する恒温槽に気体を循環させる内部ファンを備え、前記恒温槽の外壁若しくは天板に開口を形成し、この開口に前記恒温槽内の内気循環流が流れる部分に外気が触れるように放熱器を設けてある恒温装置において、前記恒温槽内の温度を検出する温度検出部と、この温度検出部で検出した温度に応じて前記恒温装置を制御する制御部とを設けてあり、前記開口の外面を覆うようにしてあるとともに一部を前記恒温槽の外壁若しくは天板に固定した断熱弁を設けてあり、前記恒温槽内の温度が規定温度内に有する場合は、前記断熱弁が閉じて、前記恒温槽の外壁若しくは天板に密着して前記恒温槽を密閉し、前記恒温槽内の温度が規定温度を超えた場合は、前記制御部の指示により前記断熱弁が開いて、前記恒温槽内の熱を外部に放出するように構成してあることを特徴とする。
【０００７】
前記放熱器に対して外気を送る外部ファンを設けてあり、前記断熱弁が開くと前記外部ファンが稼動して、前記放熱器が前記外気に触れることにより恒温槽内の熱を外部に放出するように構成してあることを特徴とする。
また、前記放熱器を形状記憶合金で構成してあることを特徴とする。
【発明の効果】
【０００８】
本発明によれば、恒温槽に形成した開口の外面を覆うように断熱板若しくは断熱弁を設けたことにより、恒温槽の内部温度が設定温度より低くなった場合は、外部ファンの稼動を停止させることにより、断熱板若しくは断熱弁が恒温槽の外壁若しくは天板に密着して、恒温槽を密閉するため、容易に恒温槽の内部温度を設定基準温度に上げることができる効果がある。
【０００９】
また、恒温槽の内部温度が設定温度より高くなった場合は、外部ファンを稼動させることにより、断熱板の一部が恒温槽から離れて放熱器の一部が露出することにより、恒温槽内の熱を外部に放出して、容易に恒温槽の内部温度を設定基準温度に下げることができる効果がある。
【発明を実施するための最良の形態】
【００１０】
発明を実施するための最良の形態に係る構成説明図を図１及び図２に示す。この恒温装置は、電子機器その他収納物６を格納する恒温槽１を備え、恒温槽１内には気体を循環させる内部ファン４を備えてあるとともに、内部ファン４が流す気体の流れを整流する整流板５を備えてある。恒温槽１の天板に開口９を形成してあり、この開口９に熱抵抗を可変でき、恒温槽１内の内気循環流が流れる部分に外気に触れるように放熱器２を設けてある。
【００１１】
本実施形態においては、放熱器２に対して外気を送る外部ファン３を、恒温槽１の天板上に設けてあり、外部ファン３が放熱器２に対して垂直に気体を送るように構成してある。恒温槽１内には温度を検出する温度検出部７と、この温度検出部７で検出した温度に応じて外部ファン３の稼動を制御する制御部８とを設けてある。本実施形態においては、温度検出部７で検出した温度が予め設定した設定基準温度以上になると、外部ファン３が稼動するように制御部８が指示し、逆に、温度検出部７で検出した温度が予め設定した設定基準温度以下になると、制御部８が稼動していた外部ファン３が停止するよう指示する制御構成を有する。
【００１２】
本実施形態に係る恒温装置は、開口９の外面を覆うように断熱板１０を設けてある。この断熱板１０は一部を恒温槽１の天板に固定し、外部ファン３が稼動しない間は、断熱板１０が恒温槽１の天板に密着して恒温槽１を密閉し、外部ファン３が稼動している間は、外部ファン３が送る気体により断熱板１０の一部が開いて、恒温槽１内の熱を外部に放出するように構成してある。なお、断熱板１０はガラエポで構成してあることが最適である。
【００１３】
以上のように構成してある恒温装置は、以下のように作用する。先ず、恒温槽１内が恒温状態にある場合においては、内部ファン４が稼動して、整流板５で気体を整流し、気体を恒温槽１内に循環させている。この際、温度は設定基準温度を下回るため、制御部８は外部ファン３に対して稼動するよう指示しないため、外部ファン３は停止状態にあり、断熱板１０が恒温槽１の天板に密着し、恒温槽１を密閉する。
【００１４】
続いて、恒温槽１内の温度が設定基準温度以上になると、温度検出部７がこれを検出し、制御部８にこれを伝える。制御部８は外部ファン３に対して稼動するよう指示し、外部ファン３は稼動する。外部ファン３が稼動することにより、外部ファン３は放熱器２に対して垂直に気体を送る。そのため、断熱板１１は気体の圧力を受け、断熱板１１は撓み、その影響で、断熱板１１の一部が開いて、外部の気体が放熱器２に触れるとともに、恒温槽１内の熱が外部に放出させることにより、容易に恒温槽１内の温度が設定基準温度まで下げることができる。
【００１５】
恒温槽１内の温度が放熱器２により下げられることにより、恒温槽１内の温度が設定基準温度以下になると、このことを温度検出部７が検出し、制御部８にこれを伝える。制御部８は外部ファン３に対して停止するよう指示し、外部ファン３は停止する。外部ファン３が停止することにより、断熱板１１は気体の圧力を受けなくなるため、断熱板１１は元の状態になり、断熱板１０が恒温槽１の天板に密着し、恒温槽１を密閉する。これにより、容易に恒温状態にすることができる。
【実施例１】
【００１６】
実施例１に係る構成説明図を図３及び図４に示す。この恒温装置は、前記実施形態と同様に、恒温槽１、放熱器２、内部ファン４、及び整流板５を備えてある。本実施例においても、放熱器２に対して外気を送る外部ファン３を、恒温槽１の天板上に設けてあり、外部ファン３が放熱器２に対して垂直に気体を送るように構成してある。恒温槽１内には、前記実施形態同様、温度検出部７と制御部８とを設けてあり、温度検出部７で検出した温度が予め設定した設定基準温度以上になると、外部ファン３が稼動するように制御部８が指示し、逆に、温度検出部７で検出した温度が予め設定した設定基準温度以下になると、制御部８が稼動していた外部ファン３が停止するよう指示する制御構成を有する。
【００１７】
本実施例に係る恒温装置は、開口９の外面を覆うように断熱弁１１を設けてある。なお、この断熱板１０はガラエポで構成してあることが最適である。この断熱弁１１は一部を恒温槽１の天板に固定し、外部ファン３が稼動しない間は、断熱弁１１が閉じた状態にあるため、断熱弁１１は恒温槽１の天板に密着して恒温槽１を密閉し、外部ファン３が稼動している間は、制御部８の指示により断熱弁１１が開いて、恒温槽１内の熱を外部に放出するとともに、外部ファン３が稼動することにより、外部ファン３が送る外気に放熱器２が触れるように構成してある。
【００１８】
以上のように構成してある恒温装置は、以下のように作用する。先ず、恒温槽１内が恒温状態にある場合においては、前記実施形態と同様、外部ファン３は停止状態にあり、断熱弁１１が閉じた状態にあるため、断熱弁１１が恒温槽１の天板に密着して恒温槽１を密閉する。
【００１９】
続いて、恒温槽１内の温度が設定基準温度以上になると、温度検出部７がこれを検出し、制御部８にこれを伝える。制御部８は断熱弁１１が開くように支持するとともに、外部ファン３に対して稼動するよう指示する。断熱弁１１が開くことにより、放熱器２が外気に触れるため、放熱器２により恒温槽１内の熱を外部に放出することができる。また、外部ファン３が稼動することにより、外部ファン３は放熱器２に対して垂直に気体を送る。そのため、強制的に恒温槽１内は冷やされることになり、容易に恒温槽１内の温度が設定基準温度まで下げることができる。
【００２０】
恒温槽１内の温度が放熱器２により下げられることにより、恒温槽１内の温度が設定基準温度以下になると、このことを温度検出部７が検出し、制御部８にこれを伝える。制御部８は断熱弁１１が閉じるように指示して、断熱弁１１は閉じ、断熱弁１１が恒温槽１の天板に密着して恒温槽１を密閉する。また、外部ファン３に対して停止するよう指示し、外部ファン３は停止する。これにより、容易に恒温状態にすることができる。
【実施例２】
【００２１】
実施例２に係る構成説明図を図５及び図６に示す。この恒温装置は、前記実施形態と同様に、恒温槽１、内部ファン４、整流板５、温度検出部７を備えてある。本実施例においても、制御部８を備えてあるが、本実施例では外部ファンを備えていないため、制御部８は後述する断熱弁１１の開閉を指示するために設けてある。
【００２２】
本実施例に係る恒温装置は、恒温槽１の外壁に開口を形成し、この開口に放熱器２を備えつけてある。なお、本実施例に係る恒温装置おいては、外部ファン４を設けていないため、放熱器２を形状記憶合金で構成してあることが最適である。この放熱器２を備えつけた外壁の外側を覆うように、空筒１２を設けてある。この空筒１２は上部に開口１３を形成してあり、この開口１３に断熱弁１１を設けてある。この断熱弁１１の一部を恒温槽１の天板に固定し、断熱弁１１が閉じた状態においては、断熱弁１１は空筒１２の上縁に密着して空筒１２を密閉することにより、恒温槽１を密閉し、断熱弁１１が開いた状態においては、熱が上昇して外部に放出されるように構成してある。
【００２３】
以上のように構成してある恒温装置は、以下のように作用する。先ず、恒温槽１内が恒温状態にある場合においては、前記実施形態と同様、断熱弁１１が閉じた状態にあるため、断熱弁１１が空筒１２の上縁に密着して恒温槽１を密閉する。
【００２４】
続いて、恒温槽１内の温度が設定基準温度以上になると、温度検出部７がこれを検出し、制御部８にこれを伝える。制御部８は断熱弁１１が開くよう指示する。断熱弁１１が開くことにより、放熱器２から放出された熱が上昇して外部へ放出されるため、放熱器２により恒温槽１内の熱を外部に放出することができる。以上より、容易に恒温槽１内の温度が設定基準温度まで下げることができる。
【００２５】
恒温槽１内の温度が放熱器２により下げられることにより、恒温槽１内の温度が設定基準温度以下になると、このことを温度検出部７が検出し、制御部８にこれを伝える。制御部８は断熱弁１１が閉じるように指示して、断熱弁１１は閉じ、断熱弁１１が空筒１２の上縁に密着して恒温槽１を密閉する。これにより、容易に恒温状態にすることができる。
【００２６】
なお、本実施例においては、外部ファンを設けていないが、外部ファンを設けてあってもよい。この場合は、放熱器２周辺に熱が集中することがないため、空筒１２を設ける必要がない。ただし、この場合、放熱器２は形状記憶合金で構成してあることにより、実施例１と同様の効果を得ることができる。
【産業上の利用可能性】
【００２７】
本発明によれば、恒温槽に形成した開口の外面を覆うように断熱板若しくは断熱弁を設けたことにより、恒温槽の内部温度が設定温度より低くなった場合は、外部ファンの稼動を停止させることにより、断熱板若しくは断熱弁が恒温槽の外壁若しくは天板に密着して、恒温槽を密閉するため、容易に恒温槽の内部温度を設定基準温度に上げることができる。
【００２８】
また、恒温槽の内部温度が設定温度より高くなった場合は、外部ファンを稼動させることにより、断熱板の一部が恒温槽から離れて放熱器の一部が露出することにより、恒温槽内の熱を外部に放出して、容易に恒温槽の内部温度を設定基準温度に下げることができる。
【図面の簡単な説明】
【００２９】
【図１】本発明に係る恒温装置における発明を実施するための最良の形態の原理的構成説明図である。
【図２】同じく最良の形態の原理的構成説明図である。
【図３】本発明に係る恒温装置における実施例１の原理的構成説明図である。
【図４】同じく実施例１の原理的構成説明図である。
【図５】本発明に係る恒温装置における実施例２の原理的構成説明図である。
【図６】同じく実施例２の原理的構成説明図である。
【図７】従来における恒温装置の原理的構成説明図である。
【符号の説明】
【００３０】
１  恒温槽
２  放熱器
３  外部ファン
４  内部ファン
５  整流板
６  電子装置
７  温度検出部
８  制御部
９  開口
１０  断熱板
１１  断熱弁
１２  空筒
１３  開口
【図１】
2006245077.tif 000003
【図２】
2006245077.tif 000004
【図３】
2006245077.tif 000005
【図４】
2006245077.tif 000006
【図５】
2006245077.tif 000007
【図６】
2006245077.tif 000008
【図７】
2006245077.tif 000009